(57)【要約】【課題】  分岐ケーブルを切断することなく、アンテナの位相を容易に且つ短時間で調整する。【解決手段】  入力用コネクタ１１に導通され中間ケーブル１２の一端を接続するための第一の中間接続用コネクタ１３と、出力用コネクタ１４に導通され中間ケーブル１２の他端を接続するための第二の中間接続用コネクタ１５とを備える。【選択図】  図１
2005184456.tif 000002
【特許請求の範囲】
【請求項１】
入力用コネクタに導通され中間ケーブルの一端を接続するための第一の中間接続用コネクタと、出力用コネクタに導通され中間ケーブルの他端を接続するための第二の中間接続用コネクタとを備えたことを特徴とする位相調整アダプタ。
【請求項２】
上記第一の中間接続用コネクタに一端を接続し、上記第二の中間接続用コネクタに他端を接続した中間ケーブルを備えた請求項１記載の位相調整アダプタ。
【請求項３】
分配器とアンテナに接続された分岐ケーブルとの間に、請求項１又は２記載の位相調整アダプタを挿入し、上記中間ケーブルのケーブル長を調整することで、上記アンテナの位相調整を行う位相調整方法。
【請求項４】
予め、ケーブル長が異なる中間ケーブルを複数用意しておき、位相が適切な中間ケーブルに交換する請求項３記載の位相調整方法。
【発明の詳細な説明】
【技術分野】
【０００１】
本発明は、放送用送受信アンテナ装置に供給する電波の位相を調整するための位相調整アダプタ及びこれを用いた位相調整方法に関する。
【背景技術】
【０００２】
二系統以上のアンテナを有するアンテナシステムにおいて、各アンテナへの電波の供給は、分配器に接続された分岐ケーブルを通して行われる。このようなアンテナシステムにおいては、各アンテナに供給する電波の位相を調整することで、所望の合成指向性を得ることができる。
【０００３】
例えば、図５に示す三系統のアンテナ５１、５２、５３を有するアンテナシステムにおいては、各アンテナ５１、５２、５３が分岐ケーブル５４、５５、５６を介して分配器５７にそれぞれ接続されている。このようなアンテナシステムの合成指向性を調整する際には、各アンテナ５１、５２、５３と分配器５７との間の電波の位相を測定器５８を用いて測定し、この測定結果に基づいて各アンテナ５１、５２、５３の分岐ケーブル５４、５５、５６のケーブル長を調整する。
【０００４】
【特許文献１】特開平５−３２６０７６号公報
【発明の開示】
【発明が解決しようとする課題】
【０００５】
ところで、各アンテナの分岐ケーブルのケーブル長を調整するに際しては、該当する分岐ケーブルを切断するか、該当する分岐ケーブルを別の分岐ケーブルに交換していた。一度の調整で所望の合成指向性が得られない場合には、アンテナと分配器との間の電波の位相の測定、及び分岐ケーブルの切断・交換を繰返し行うため、これらの作業には多大な時間を要するという問題点があった。また分岐ケーブルの切断長を誤ると、新たな分岐ケーブルが必要となり、分岐ケーブルが無駄になってしまうという問題点があった。
【０００６】
そこで本発明は、上記課題を解決すべく創案されたものであり、その目的は、分岐ケーブルを切断することなく、アンテナの位相を容易に且つ短時間で調整することができる位相調整アダプタ及びこれを用いた位相調整方法を提供することにある。
【課題を解決するための手段】
【０００７】
上記目的を達成するために、請求項１の発明は、入力用コネクタに導通され中間ケーブルの一端を接続するための第一の中間接続用コネクタと、出力用コネクタに導通され中間ケーブルの他端を接続するための第二の中間接続用コネクタとを備えたことを特徴とする位相調整アダプタである。
【０００８】
請求項２の発明は、上記第一の中間接続用コネクタに一端を接続し、上記第二の中間接続用コネクタに他端を接続した中間ケーブルを備えた請求項１記載の位相調整アダプタである。
【０００９】
請求項３の発明は、分配器とアンテナに接続された分岐ケーブルとの間に、請求項１又は２記載の位相調整アダプタを挿入し、上記中間ケーブルのケーブル長を調整することで、上記アンテナの位相調整を行う位相調整方法である。
【００１０】
請求項４の発明は、予め、ケーブル長が異なる中間ケーブルを複数用意しておき、位相が適切な中間ケーブルに交換する請求項３記載の位相調整方法である。
【発明の効果】
【００１１】
本発明によれば、分岐ケーブルを切断することなく、アンテナの位相を容易に且つ短時間で調整することができるという優れた効果を奏する。
【発明を実施するための最良の形態】
【００１２】
以下、本発明の好適な一実施の形態を添付図面に基づいて詳述する。
【００１３】
図１は、本発明の一実施の形態に係る位相調整アダプタの側面図である。図２は、図１の実施の形態の位相調整アダプタを挿入した状態を示す、アンテナシステムの概略図である。図３は、図２のIII部拡大図である。
【００１４】
本実施の形態の位相調整アダプタは、上記課題を解決するために創案されたものであり、分配器とアンテナに接続された分岐ケーブルとの間に挿入して使用するものである。
【００１５】
図１に示すように、位相調整アダプタ１０は、入力用コネクタ１１に導通され中間ケーブル１２（図３参照）の一端を接続するための第一の中間接続用コネクタ１３と、出力用コネクタ１４に導通され中間ケーブル１２の他端を接続するための第二の中間接続用コネクタ１５とを備えている。
【００１６】
本実施の形態の入力用コネクタ１１は、袋ナット形ジャックである。本実施の形態の出力用コネクタ１４は、袋ナット形プラグである。袋ナット形のコネクタは、放送用送受信アンテナ装置のコネクタに一般的に採用されているものである。本実施の形態の第一及び第二の中間接続用コネクタ１３、１５は、汎用性を持たせるため、一般のケーブルに多く採用されているＮ形ジャックとしている。
【００１７】
詳しくは、入力用コネクタ１１は、管状の外部導体１１ａと、外部導体１１ａ内にリング状の絶縁体（スペーサ）１６を介して取り付けられた棒状の内部導体１１ｂとで構成される。出力用コネクタ１４は、管状の外部導体１４ａと、外部導体１４ａ内にリング状の絶縁体（スペーサ）１７を介して取り付けられた棒状の内部導体１４ｂとで構成される。第一の中間接続用コネクタ１３は、Ｌ字状に折り曲げたエルボ構造にて形成された管状の外部導体１３ａと、外部導体１３ａ内にリング状の絶縁体（スペーサ）１８を介して取り付けられた棒状の内部導体１３ｂとで構成される。第二の中間接続用コネクタ１５は、Ｌ字状に折り曲げたエルボ構造にて形成された管状の外部導体１５ａと、外部導体１５ａ内にリング状の絶縁体（スペーサ）１９を介して取り付けられた棒状の内部導体１５ｂとで構成される。
【００１８】
本実施の形態の第一の中間接続用コネクタ１３の外部導体１３ａと第二の中間接続用コネクタ１５の外部導体１５ａとは、接続部材２０を介して一体化されている。第一の中間接続用コネクタ１３の外部導体１３ａにおける、接続部と反対側の端部には、入力用コネクタ１１の外部導体１１ａが取り付けられている。第二の中間接続用コネクタ１５の外部導体１５ａにおける、接続部と反対側の端部には、出力用コネクタ１４の外部導体１４ａが取り付けられている。
【００１９】
入力用コネクタ１１の内部導体１１ｂと第一の中間接続用コネクタ１３の内部導体１３ｂとは、第一の中間接続用コネクタ１３の外部導体１３ａ内で接続されている。これにより、入力用コネクタ１１と第一の中間接続用コネクタ１３とが導通される。構造上、入力用コネクタ１１の内部導体１１ｂは、第一の中間接続用コネクタ１３の外部導体１３ａにリング状の絶縁体（スペーサ）２１を介して支持されている。また出力用コネクタ１４の内部導体１４ｂと第二の中間接続用コネクタ１５の内部導体１５ｂとは、第二の中間接続用コネクタ１５の外部導体１５ａ内で接続されている。これにより、出力用コネクタ１４と第二の中間接続用コネクタ１５とが導通される。
【００２０】
位相調整アダプタ１０を使用するに際しては、第一の中間接続用コネクタ１３に、中間ケーブル１２の一端を接続し、第二の中間接続用コネクタ１５に中間ケーブル１２の他端を接続する（図３参照）。これにより、入力用コネクタ１１に入力された電波は、中間ケーブル１２を介して、出力用コネクタ１４より出力される。このとき、位相調整アダプタ１０内の電波の位相は、各コネクタ１１、１３、１４、１５の内部導体１１ａ、１３ａ、１４ａ、１５ａの長さと中間ケーブル１２のケーブル長に依存する。中間ケーブル１２は、第一及び第二の中間接続用コネクタ１３、１５に接続されているので、交換が可能である。そのため、位相（ケーブル長）が適切な中間ケーブル１２に交換することで、位相調整アダプタ１０内の電波の位相を容易に調整することができる。
【００２１】
以上、本実施の形態の位相調整アダプタ１０は、入力用コネクタ１１に導通された第一の中間接続用コネクタ１３と、出力用コネクタ１４に導通された第二の中間接続用コネクタ１５とを備え、これら第一の中間接続用コネクタ１３と第二の中間接続用コネクタ１５との間を、中間ケーブル１２で繋いでいる。そのため、位相（ケーブル長）が適切な中間ケーブル１２を、位相調整アダプタ１０に接続することで、電波の位相を容易に調整することができる。このような位相調整アダプタ１０を、分配器とアンテナに接続された分岐ケーブルとの間に挿入して使用することで、従来行っていた分岐ケーブルの切断をする必要がなく、位相調整を短時間で行うことができる。
【００２２】
なお、位相調整アダプタ１０の各コネクタ（入力用コネクタ１１、出力用コネクタ１４、第一及び第二の中間接続用コネクタ１３、１５）のコネクタ形状は、上述の実施の形態には限定されない。例えば、図４においては、第一の中間接続用コネクタ１３をＮ形プラグに変更している。各コネクタ１１、１３、１４、１５のコネクタ形状は、接続する機器やケーブルのコネクタのコネクタ形状に応じて適宜選択すれば良い。
【００２３】
本発明に係る位相調整方法は、上述の実施の形態の位相調整アダプタ１０を用いたものである。図２を用いて、これを説明する。
【００２４】
図２に示すアンテナシステムは、三系統のアンテナ３１、３２、３３を有している。各アンテナ３１、３２、３３は、分岐ケーブル３４、３５、３６を介してそれぞれ分配器３７にそれぞれ接続されている。
【００２５】
例えば、位相調整アダプタ１０を、分配器３７とアンテナ３３に接続された分岐ケーブル３６との間に挿入する。詳しくは、位相調整アダプタ１０の入力用コネクタ１１と分岐ケーブル３６とを接続し、位相調整アダプタ１０の出力用コネクタ１４と分配器３７とを接続する（図３参照）。
【００２６】
次に、適当な長さ（例えば、各アンテナ３１、３２、３３と分配器３７との間の電波の位相が同一となる長さ）の中間ケーブル１２の一端を、位相調整コネクタ１０の第一の中間接続用コネクタ１３に接続し、その中間ケーブル１２の他端を、第二の中間接続用コネクタ１５に接続する（図３参照）。この状態で、分配器３７に接続した測定器３８を用いて各アンテナ３１、３２、３３と分配器３７との間の電波の位相を測定する。この測定結果に基づいて、所望の合成指向性が得られるように各アンテナ３１、３２、３３と分配器３７との間の電波の位相を調整する。
【００２７】
例えば、アンテナ３３の位相を遅らせる場合、従来の方法では、アンテナ３３の分岐ケーブル３６を長いものに交換するか、他のアンテナ３１、３２の分岐ケーブル３４、３５を切断して短くすることによって、位相調整を行っていた。本実施の形態においては、位相調整アダプタ１０に接続された中間ケーブル１２を長いものに交換することで、アンテナ３３の位相を遅らせることができる。また逆にアンテナ３３の位相を早くする場合には、中間ケーブル１２を短いものに交換すれば良い。その際、予め、ケーブル長が異なる中間ケーブル１２を複数用意しておくことで、位相（ケーブル長）が適切な中間ケーブル１２に交換することが容易となる。このようにすると、中間ケーブル１２をアンテナシステムの設置場所で切断する必要はなくなると共に、中間ケーブル１２の切断長を誤ってケーブルを無駄にする虞はなくなる。
【００２８】
以上、本実施の形態によれば、分配器３７とアンテナ３１、３２、３３の分岐ケーブル３４、３５、３６との間に、位相調整アダプタ１０を挿入し、位相調整アダプタ１０に接続された中間ケーブル１２を、適切なケーブル長のものに交換することで、アンテナ３１、３２、３３の位相を容易に調整することが可能となる。また予め中間ケーブル１２を数種類用意しておくことで、中間ケーブル１２をスムーズに交換することができる。そのため、従来行っていた分岐ケーブルの切断を行う必要がなく、位相調整を短時間で行うことができる。
【００２９】
なお、上述の実施の形態においては、三系統のアンテナ３１、３２、３３のうち一系統のアンテナ３３に位相調整アダプタ１０を挿入しているが、二系統以上又は全系統のアンテナに位相調整アダプタ１０を挿入しても良い。複数系統のアンテナに位相調整アダプタ１０を挿入しておくと、相互に関連した合成指向性を容易に調整することができる。
【００３０】
また、上述の実施の形態においては、位相調整アダプタ１０に、位相（ケーブル長）が適切な中間ケーブル１２を接続することで、アンテナ３１、３２、３３の位相を調整するとしたが、位相調整アダプタ１０の第一及び第二の中間接続用コネクタ１３、１５間にラインストレッチャー等の位相調整器を取り付けても良い。このようにすると、分岐ケーブル３４、３５、３６及び中間ケーブル１２のケーブル長に依存することなく、アンテナ３１、３２、３３の位相を変更することができる。ところで、位相調整器は、比較的高価な装置であるので、中間ケーブル１２のみで使用した方がコスト的には有利である。
【図面の簡単な説明】
【００３１】
【図１】本発明の一実施の形態に係る位相調整アダプタの側面図である。
【図２】図１の実施の形態の位相調整アダプタを挿入した状態を示す、アンテナシステムの概略図である。
【図３】図２のIII部拡大図である。
【図４】コネクタ形状の変形例を示す位相調整アダプタの側面図である。
【図５】従来の位相調整方法を説明するためのアンテナシステムの概略図である。
【符号の説明】
【００３２】
１０  位相調整アダプタ
１１  入力用コネクタ
１２  中間ケーブル
１３  第一の中間接続用コネクタ
１４  出力用コネクタ
１５  第二の中間接続用コネクタ
３１、３２、３３  アンテナ
３４、３５、３６  分岐ケーブル
３７  分配器
【図１】
2005184456.tif 000003
【図２】
2005184456.tif 000004
【図３】
2005184456.tif 000005
【図４】
2005184456.tif 000006
【図５】
2005184456.tif 000007